(57)【特許請求の範囲】
【請求項１】
複数の貫通孔を有する袋状の収容部と、
一方の側で前記収容部に繋がり、他方の側に開口部を有する管状の持ち手部と、を備え、
前記収容部および前記持ち手部は、収縮性のある変形自在の素材から形成されており、
前記持ち手部は、少なくとも使用時に窄まっている
ことを特徴とする水切り壺。
【請求項２】
請求項１に記載の水切り壺であって、
前記収容部は、
前記持ち手部付近から底面付近に向かって伸びる折り畳み線を有し、
前記持ち手部は、
前記開口部付近から収容部付近に向かって伸びる折り畳み線を有している
ことを特徴とする水切り壺。
【請求項３】
請求項１に記載の水切り壺であって、
前記収容部および持ち手部の間に該収容部および該持ち手部の外周を取り囲むように形成される補強縁部を備え、
前記収容部、前記持ち手部および前記補強縁部は、収縮性のある変形自在の素材から形成されている
ことを特徴とする水切り壺。
【請求項４】
請求項３に記載の水切り壺であって、
前記持ち手部は、
前記開口部から前記補強縁部に向かって伸びる折り畳み線を有している
ことを特徴とする水切り壺。
【請求項５】
請求項３または４に記載の水切り壺であって、
前記持ち手部は、
前記補強縁部を基点として捲れる
ことを特徴とする水切り壺。
【請求項６】
請求項１〜５のいずれか一項に記載の水切り壺であって、
前記収容部は、底面付近から放射状に伸びるリブを有している
ことを特徴とする水切り壺。
【請求項７】
複数の貫通孔を有する袋状の収容部と、
前記収容部に繋がり、複数の薄片状取っ手を有する持ち手部と、
対向する前記取っ手同士の間に形成された開口部と、を備え、
前記収容部および前記持ち手部は、収縮性のある変形自在の素材から形成されており、
前記持ち手部は、
前記収容部に繋がっている一端と、湾曲しつつ窄まっている他端と、を有する側面部と、
前記側面部の他端に繋がっている前記取っ手と、から構成され
前記側面部と前記取っ手との間には、前記側面部の上端外周を取り囲む形状の折り返し線が形成され、該折り返し線を基点に前記取っ手を下方向に折り曲げることができる
ことを特徴とする水切り壺。
【請求項８】
請求項７に記載の水切り壺であって、
前記取っ手は、
前記収容部と繋がっている一方の側と反対の、他方の側に向かって先細る略三角形の薄片状に形成されている
ことを特徴とする水切り壺。
【請求項９】
請求項７または８に記載の水切り壺であって、
前記取っ手には、
掛かり穴が形成されている
ことを特徴とする水切り壺。
【請求項１０】
請求項８に記載の水切り壺であって、
前記収容部は、
底面付近に設置面が形成されている
ことを特徴とする水切り壺。
【請求項１１】
請求項７〜１０のいずれか一項に記載の水切り壺であって、
前記収容部および持ち手部の間であって、該収容部および該持ち手部の外周を取り囲むように形成される補強縁部をさらに備える
ことを特徴とする水切り壺。
【請求項１２】
請求項１１に記載の水切り壺であって、
前記収容部は、
底面付近から前記補強縁部に向かって放射状に伸びるリブが形成されている
ことを特徴とする水切り壺。
【請求項１３】
請求項７に記載の水切り壺であって、
前記収容部は、底面付近から放射状に伸びるリブを備えている
ことを特徴とする水切り壺。
【発明の詳細な説明】
【技術分野】
【０００１】
本発明は、水切り壺に関する。
【背景技術】
【０００２】
従来から、水洗いした野菜や麺類などの水切りには、金属網のざるや、複数の穴が空いたプラスチック製のボウルなどが用いられている。
【発明の概要】
【発明が解決しようとする課題】
【０００３】
上記のざるやボウルを用いて水切りを行う場合、使用者は、時間の経過とともに自然に水気が切れるのを待つしかないため、早急に水切りを行いたい場合には使い勝手が悪い。また、ざるなどを上下動させると、野菜などの収容物が飛び出してしまうおそれがある。
【０００４】
そこで、本発明は、より効率的に水切りができる水切り壺の提供を目的とする。
【課題を解決するための手段】
【０００５】
上記課題を解決するために、本発明に係る水切り壺は、複数の貫通孔を有する袋状の収容部と、一方の側で前記収容部に繋がり、他方の側に開口部を有する管状の持ち手部と、を備え、前記収容部および前記持ち手部は、収縮性のある変形自在の素材から形成されており、前記持ち手部は、少なくとも使用時に窄まっている。
【発明の効果】
【０００６】
本発明に係る水切り壺によれば、より効率的に水切りができる。
【図面の簡単な説明】
【０００７】
【図１】本発明の第一実施形態に係る水切り壺を示した図である。
【図２】本発明の第二実施形態に係る水切り壺を示した図である。
【図３】本発明の第二実施形態に係る水切り壺の使用状態の一例を示した図である。
【図４】本発明の第二実施形態に係る水切り壺の使用状態の一例を示した図である。
【図５】本発明の第三実施形態に係る水切り壺を示した図である。
【図６】本発明の第四実施形態に係る水切り壺を示した図である。
【図７】本発明の第四実施形態に係る水切り壺の使用状態の一例を示した図である。
【図８】本発明の第四実施形態に係る水切り壺の使用状態の一例を示した図である。
【図９】本発明の第二実施形態に係る水切り壺の折り畳み線の形状例を示した図である。
【図１０】本発明の第二実施形態に係る水切り壺の折り畳み線の形状例および折り畳んだ際の形状例を示した図である。
【図１１】本発明の第四実施形態に係る水切り壺の使用状態の一例を示した図である。
【図１２】本発明の第五実施形態に係る水切り壺を示した図である。
【発明を実施するための形態】
【０００８】
以下、本発明の各実施形態について図面を用いて説明する。
【０００９】
＜第一実施形態＞
図１は、本発明の第一実施形態に係る水切り壺１０を示した図である。図示するように、水切り壺１０は、袋状の底面付近から放射状に広がる複数の水切り穴１１を有し、全体が壺型の形状に形成されている。
【００１０】
また、水切り壺１０は、シリコーン（ｓｉｌｉｃｏｎｅ）から形成され、高い収縮性および耐熱性を備えている。すなわち、水切り壺１０は、窄めたり、折り曲げたり、表面と裏面とを入れ替えるように捲っても元の壺型形状に復帰するよう変形自在に形成されている。なお、水切り壺１０は、例えば、所定形状（例えば、壺型形状）の型に液状シリコーンゴムを流し入れ、それを固化させることにより成形するコンプレッション成形やトランスファー成形により製造される。また、水切り壺１０は、シリコーンが所定の厚さ（膜厚０．５ｍｍ〜３．０ｍｍ）になるように形成される。
【００１１】
なお、水切り壺１０の材料はシリコーンに限られるものではなく、所望の収縮性および耐熱性を備えていれば、シリコーン以外の材料から形成されてもよい。例えば、水切り壺１０は、シリコーンを用いた場合と同様の収縮性および耐熱性を備え、変形自在なゴム材などから形成されても良い。
【００１２】
水切り壺１０は、袋状の収容部１２と、管状の持ち手部１３と、を有し、所定の大きさの内部収容空間を備えている。収容部１２は、水切りをする材料を収容する部分である。図１（ｂ）は、収容部１２を示した図（水切り壺１０の底面付近からの断面を示し、リブ１４の描写を省略した図）である。収容部１２は、先端が袋状に閉じられた略半球状の形態をなし、底面付近から放射状に伸びるリブ１４と、リブ１４同士の間に形成されている水切り穴１１と、を有している。水切りを行う野菜などの材料に付着した水分は、水切り穴１１を通して水切り壺１０の外側に排出される。
【００１３】
リブ１４は、収容部１２（特に、底面部分）に強度を持たせ、自然状態（外力が加わっていない状態）でも潰れないように（例えば、図１（ａ）の横方向などに潰れないように）、補強材としての役割を果たしている。そのため、リブ１４は、他の部分よりもシリコーンの厚みを持たせるように形成されている。このようなリブ１４の補強により、収容部１２が横方向などに変形し難くなり、その結果、野菜など収容物の出し入れをし易くすることができる。また、棚に収納する場合や、鞄などに収容して持ち運ぶ場合には、水切り壺１０全体を図１（ａ）の縦方向に潰すことで、省スペースでの収容が可能となり、持ち運ぶ際にもかさばらない。
【００１４】
水切り穴１１は、所定の大きさ（例えば、数２ｍｍ〜８ｍｍ程度の直径）を有する円または楕円形の貫通孔である。なお、水切り穴１１は、水切り壺１０が成形された後にパンチ加工により形成されても良く、または、液状シリコーンを注入する型の形状に応じて成形時に形成されても良い。
【００１５】
持ち手部１３は、水切り壺１０の使用時に握られる持ち手としての役割を果たす。具体的には、持ち手部１３は、収容部１２から一体的に繋がっている側とは反対の側に開口部１５を有し、開口部１５を通じて水切りする材料を内部収容空間に収容する。なお、開口部１５は、自然状態でも成形時の径を保てる強度を備えるよう、カール加工や折り曲げ加工などの縁加工が施されている。なお、縁加工を施さなくても、例えば、他の部分よりもシリコーンの厚みを持たせるように形成することで、所望の強度を有するように形成されても良い。
【００１６】
使用者は、開口部１５から水切りをする材料を収容部１２に入れ、持ち手部１３を掴んで水切り壺１０を上下動させたり、斜めに振ることにより、効率的に水切りすることができる。また、水切り壺１０を上下に円弧を描くように振っても良く、収容部１２を掌に当てるように振っても良い。また、障害物などが無い屋外などでは回転させても良い。なお、葉物野菜などの水切りは、葉の重なりが生じ、一定方向に外力を加えるだけでは水が切れにくい場合がある。また、遠心力を利用しても、葉の内側の水が切れにくい場合がある。そのような場合には、縦振りと横振りとを交互に繰り返し、外力が働く方向をこまめに変えることで、水がより切れやすくすることができる。このような点で、水切り壺１０を振りながら掌などに宛てる方法が水切りを促進する上で有効な方法と言える。
【００１７】
このような第一実施形態に係る水切り壺１０によれば、より効率的に水切りすることができる。特に、水切り壺１０を上下動させたり、斜めに振ったり、掌などに当てたり、これらを組合せた動作により、野菜などの材料に対して、重力および重力方向と異なる方向への加速度（外力）を繰り返し作用させることができるため、より効率的に水切りを促進することができる。また、持ち手部１３が握られると、開口部１５付近が閉じられるため、収容部１２内の材料が水切り壺１０の外側に飛び出てしまうこともない。
【００１８】
さらには、水を張ったボール内に収容部１２付近を浸し、上下動や横方向に揺することにより、効率的に野菜や穀類を洗うことができる。特に、豆類などをボールの外に溢さずに水洗いし、そのまま水切りができるため、手間のかかる作業が負担となるお年寄りなどにも有用である。また、浸し豆料理などを作る場合には、水切り壺１０に材料を入れた状態で、そのまま水に浸け置きすることができる。
【００１９】
さらにまた、水切り壺１０は、耐熱性を有するシリコーンで形成されているため、浸した豆などをそのまま電子レンジで加熱したり、湯煎で煮ることができる。また、水切り壺１０は、収容部１２内に布巾を敷き、餅米を入れて蒸すなどの蒸し料理をすることもできるなど、料理の用途を広げることができる。そのため、各調理工程に応じた容器や食器類を用いる必要がなくなる。このように、水切り壺１０を用いれば、多くの容器を用いずに、水洗い、水切り、調理など一連の料理を一つの道具で行うことができる。その結果、使用容器の水洗いを減らすことができ、環境に優しい料理が可能となる。また、お年寄りも手間をかけずに料理を楽しむことができるようになる。このように、水切り壺１０は、お年寄りにとって必要な栄養素の補給に役立つことになる。
【００２０】
また、図示しないが、水切り壺１０は、持ち手部１３をより長く形成し、持ち手部１３で作った輪に開口部１５を通して縛ることができるようにしても良い。
【００２１】
次に、本発明の第二実施形態に係る水切り壺について説明する。
【００２２】
＜第二実施形態＞
図２（ａ）は、本発明の第二実施形態に係る水切り壺２０を示した図である。本実施形態に係る水切り壺２０は、シリコーンから変形自在に形成され、収容部１２および持ち手部１３を有している点で第一実施形態のものと同様であるが、収容部１２と持ち手部１３との間に補強材としての縁部２１が設けられ、持ち手部１３には折り畳み線２２が形成されている点で第一実施形態のものと異なる。なお、前述の実施形態と同一の箇所は、同一の符号を附して説明を省略する。
【００２３】
縁部２１は、収容部１２と持ち手部１３との間に設けられ、補強材としての役割を果たす。図２（ｂ）は、水切り壺２０の平面図である。図示するように、縁部２１は、収容部１２および持ち手部１３の外周を取り囲むように収容部１２および持ち手部１３と一体的に形成されている。このような縁部２１の働きにより、収容部１２と持ち手部１３との間には所望の強度が与えられ、自然状態でも潰れるなどの形状変化が起きないようにしている。すなわち、収容部１２と持ち手部１３との間は、略半球状の径が保たれる強度が備わっている。なお、縁部２１は、リブ１４と同様に、他の部分よりもシリコーンの厚みを持たせるように形成されれば良い。
【００２４】
また、持ち手部１３には、開口部１５から縁部２１に向かって先細る槍状の折り畳み線２２が形成されている。図９（ａ）は、線間Ａ―Ａによって水切り壺２０を切断した場合の切断面に表れる折り畳み線２２を示した図である。図示するように、折り畳み線２２は、端線２３と、端線２３同士の間に位置する中央線２４と、から構成されている。中央線２３は、水切り壺２０の外側面から内部収容空間側に向かって薄身（シリコーンの厚みが薄い）になる断面アーチ状の凹み５０が開口部１５から縁部２１付近まで連なることによって形成されている。一方で、端線２３は、内部収容空間側から水切り壺２０の外側面に向かって薄身になる断面アーチ状の凹み５１が開口部１５から縁部２１まで連なることによって形成されている。このような折り畳み線２２は、例えば、成形時に他の部分よりもシリコーンの厚みを薄くすることにより形成される。
【００２５】
このような折り畳み線２２を有する水切り壺２０に外力が加わると、中央線２４は、水切り壺２０の内部収容空間側に向かって移動し、端線２３は、水切り壺２０の外側に向かって移動する。そのため、水切り壺２０の持ち手部１３は、開口部１５の径を窄めるように折り畳まれる。
【００２６】
なお、折り畳み線２２を構成する凹みの形状は、必ずしも断面アーチ状である必要はない。例えば、図９（ｂ）に示すように、折り畳み線２２の凹みは、折り畳まれる部分が他の部分を構成する厚みと比べて薄身となるような形状であれば良く、例えば、ｖ字型やＵ字型であっても良い。
【００２７】
また、図１０は、相互に異なる折り畳み線２２の断面形状を示した図である。図１０（ａ）に示すように、折り畳み線２２を構成する凹み５２が、一方の側に対して薄身になる断面アーチ状の場合、持ち手部１３を直角に折り畳むと、角部５３は直線部５４に対してイボ状に突出した形状となる。また、持ち手部１３を１８０度に折り畳むと、対向する辺Ａと辺Ｂとが接触するように折り畳まれる。
【００２８】
また、図１０（ｂ）に示すように、断面アーチ状の２つの凹み５５からなる折り畳み線２２の場合、持ち手部１３を直角に折り畳むと、角部５６は滑らかに丸みを帯びる。また、持ち手部１３を１８０度に折り畳むと、対向する辺Ａと辺Ｂとの間には一定の隙間５７が形成されるように折り畳まれる。
【００２９】
また、図１０（ｃ）に示すように、凹み６０に対応する位置６１が一方の側に突出している折り畳み線２２に沿って持ち手部１３を直角に折り畳むと、角部６２は大きく突き出した形状となる。また、持ち手部１３を１８０度に折り畳むと、先端６３が尖り、対向する辺Ａと辺Ｂとの間には一定の隙間６４が形成されるように折り畳まれる。
【００３０】
また、図１０（ｄ）に示すように、両側から形成された凹み６５による折り畳み線２２の場合、持ち手部１３を直角に折り畳むと、角部６６は滑らかに丸みを帯びる。また、持ち手部１３を１８０度に折り畳むと、対向する辺Ａと辺Ｂとの間には僅かな隙間６８が形成されるように折り畳まれる。
【００３１】
本実施形態に係る水切り壺２０の折り畳み線２２は、図１０（ａ）〜（ｄ）に示すいずれの形状のものであっても良く、また、これらの図に示さない他の形状であっても良い。また、これらの図に示した例は、膜厚やシリコーンゴムの硬度、折り畳み線２２の周囲の形状などにより異なることがあるため、必ずしも図示するように変形するとは限らない。
【００３２】
図３は、水切り壺２０の使用状態を示した図（水切り壺２０の持ち手部１３を折り畳み線２２に沿って収縮させた図）である。図示するように、持ち手部１３が握られると、折り畳み線２２に沿って持ち手部１３が折り畳まれる。具体的には、持ち手部１３は、中央線２４に沿って、水切り壺２０の中心方向に折り畳まれる。また、折り畳み線２２は、縁部２１に向かって先細っているため、持ち手部１３は、縁部２１に向かって裾が広がるような形状に変化する。
【００３３】
なお、図２（ａ）に示す水切り壺２０は、開口部１５が略円形に開いた状態で形成されていたが、折り畳み線２２の厚みなどを調整することにより、開口部１５が適度に折り畳まれた状態を維持するように形成されていても良い。
【００３４】
このような第二実施形態に係る水切り壺２０によれば、より効率的に水切りができる。特に、折り畳み線２２の働きで、持ち手部１３が握られてもだぶ付きが生じにくく、隙間無く折り畳まれる。その結果、開口部１５付近の密閉性を高めることができ、水切り壺２０を上下動させた場合でも、持ち手部１３の隙間から食材や水分が外に飛び出してしまうことがない。また、縁部２１の働きで、収容部１２と持ち手部１３との間の径が潰れずに維持される。その結果、水切りをする材料を収容部１２に収容し易くなる。
【００３５】
また、図４は、第二実施形態に係る水切り壺２０の他の使用状態を示した図である。図示するように、水切り壺２０は、持ち手部１３の裏面が表側となるように、縁部２１を基点として捲ることができる。このように変形させることで、水切り壺２０をお皿の代わりにして、水切りをした野菜などの材料をそのまま提供することができる。
【００３６】
次に、本発明の第三実施形態に係る水切り壺について説明する。
【００３７】
＜第三実施形態＞
図５は、本発明の第三実施形態に係る水切り壺３０を示した図である。本実施形態に係る水切り壺３０は、シリコーンから変形自在に形成され、収容部１２および縁部２１を有している点で第一および第二実施形態のものと同様であるが、折り畳み線２２が無く、持ち手部３１が二つの取っ手部３３から構成されている点で第二実施形態のものと異なる。なお、前述の実施形態と同一の箇所は、同一の符号を附して説明を省略する。
【００３８】
持ち手部３１は、縁部２１から上方に向かって湾曲しつつ徐々に窄まる側面部３２と、側面部３２を左右に分けるように形成されている二つの取っ手部３３と、から構成されている。二つの取っ手部３３は、各々、薄片状をなし、側面部３２の上端から上方に伸びるように形成されている。また、取っ手部３３の上側には、指やフック部材などを引っかけるための掛かり穴３４が形成されている。また、対向する取っ手部３３同士の間には、収容部１２に通じる開口部３５が形成されており、開口部３５から水切りをする材料が収容部に入れられる。
【００３９】
使用者は、開口部３５から水切りをする材料を収容部１２に入れ、掛かり穴３４に指を引っかけて水切り壺３０を上下動などさせることにより、効率的に水切りをすることができる。また、掛かり穴３４にフックを引っかけて、水切り壺３０を所定の場所に吊して使用することもできる。
【００４０】
このような第三実施形態に係る水切り壺３０によれば、より効率的に水切りができる。特に、持ち手部３１は、筒状ではなく、相互に分離している薄片状の取っ手部３３から構成されているため、水切り壺３０には、比較的広い開口部３５が形成されている。その結果、水切りをする材料を容易に収容部１２に入れることができる。また、側面部３２は、上方に向かって湾曲しつつ徐々に窄まっていることから、水切り壺３０の上下動によって内容物が外に飛び出してしまうこともない。また、水切り壺３０は、掛かり穴３４を有しているため、フックなどに吊した状態で水切りをすることもでき便利である。また、水切り壺３０は、フックに吊した状態で保管しておくこともでき、保管スペースに困ることもない。
【００４１】
次に、本発明の第四実施形態について説明する。
【００４２】
＜第四実施形態＞
図６は、本発明の第四実施形態に係る水切り壺４０を示した図である。本実施形態に係る水切り壺４０は、シリコーンから変形自在に形成され、持ち手部３１が二つの取っ手部４３から構成されている点で第三実施形態のものと同様であるが、収容部１２が設置面を有し、縁部２１まで伸びるリブ４１が形成されている点で第三実施形態のものと異なる。なお、前述の実施形態と同一の箇所は、同一の符号を附して説明を省略する。
【００４３】
収容部１２は、テーブルなどの板面と接触する底面付近に、略円形かつ略水平の設置面４２を有している。設置面４２は、他の部分よりもシリコーンの厚みを持たせるように形成されている。なお、設置面には複数の水切り穴１１が形成されていても良く、また、水切り穴が形成されていなくても良い。
【００４４】
また、水切り壺４０には、設置面４２から縁部２１に向かって放射状に伸びるリブ４１が形成されている。リブ４１は、他の部分よりもシリコーンの厚みを持たせるように形成されている。
【００４５】
また、側面部３２の上端から上方に伸びる二つの取っ手部４３は、上側が先細る略三角形の薄片状に形成されている。そのため、対向する取っ手部４３同士の間には、収容部１２に通じる大きな開口部３５が形成されており、開口部３５から水切りをする材料を容易に収容部１２に入れることができる。
【００４６】
使用者は、開口部３５から水切りをする材料を収容部１２に入れ、掛かり穴３４に指を引っかけて水切り壺４０を上下動などさせることにより、効率的に水切りをすることができる。また、図７に示すように、掛かり穴３４にフック３６を引っかけて、水切り壺４０を所定の場所に吊して使用することもできる。
【００４７】
また、図１１に示すように、水切り壺４０は、側面部３２の上端外周を取り囲むように側面部３２と一体的に形成されている折り返し線４５を基点として、取っ手部４３を下方向に折り曲げることもできる。なお、折り返し線４５は、水切り壺４０の他の部分よりもシリコーンの厚みを薄くするなどして形成されれば良い。このような変形により、取っ手部４３が食材を取る際に邪魔にならず、水切り壺４０をお皿の代わりにして、水切りをした野菜などの材料をそのまま提供（テーブル上に配置）することができる。
【００４８】
また、水切り壺４０を鍋などに入れて食材を煮る場合にも、折り返し線４５で取っ手部４３を折り曲げた状態で調理することができるため、非常に便利である。また、水切り壺４０を鍋などから引き上げる場合には、掛かり穴３４を持って持ち上げることにより、引き上げが容易になるばかりでなく、火傷の防止や、お湯の無駄使いを防止することができる。
【００４９】
また、図８に示すように、掛かり穴３４に指を引っかけた状態で、水切り壺４０に入れた材料を水洗いすることもできる。また、水切り壺４０は、ざるなどと同様、水洗いした後にそのまま水切りとして使用することができる。
【００５０】
このような第四実施形態に係る水切り壺４０によれば、より効率的に水切りができる。特に、持ち手部３１は、筒状ではなく、相互に分離している略三角形の薄片状の取っ手部４３から構成されているため、水切り壺４０には、広い開口部３５が形成されている。そのため、開口部３５から収容部１２の中に容易に手を入れることができる。したがって、水切り壺４０に入れた材料を手で水洗いすることができる。また、水切り壺４０は、水洗いした後そのまま水切りとして使用できるため、非常に使い勝手が良い。また、水切り壺４０は、掛かり穴３４を有しているため、フック３６などに吊した状態で水切りをすることもでき便利である。また、水切り壺４０は、フック３６に吊した状態で保管しておくこともでき、保管スペースに困ることもない。
【００５１】
また、収容部１２の底面付近には略水平な設置面４２が形成されているため、テーブルなどの板面に安定して置くことができる。また、リブ４１が縁部２１まで伸びているため、収容部１２の強度を強くすることができる。
【００５２】
次に、本発明の第五実施形態について説明する。
【００５３】
＜第五実施形態＞
図１２は、本発明の第五実施形態に係る水切り壺７０を示した図である。本実施形態に係る水切り壺７０は、シリコーンから変形自在に形成され、収容部１２および持ち手部１３を有している点で第一実施形態のものと同様であるが、収容部１２および持ち手部１３の各々に折り畳み線２２が形成されている点で第一実施形態のものと異なる。また、水切り壺７０は、水切り穴１１の形成位置についても第一実施形態のものと異なる。なお、前述の実施形態と同一の箇所は、同一の符号を附して説明を省略する。
【００５４】
収容部１２には、持ち手部１３付近から底面付近に向かって伸びる滴型の折り畳み線２２が形成されている。また、持ち手部１３には、開口部１５付近から収容部１２付近に向かって伸びる細長い楕円型の折り畳み線２２が形成されている。このような折り畳み線２２を有する水切り壺７０に外力が加わると、中央線２４は、水切り壺２０の内部収容空間側に向かって移動し、端線２３は、水切り壺２０の外側に向かって移動する。そのため、水切り壺７０の持ち手部１３は、開口部１５の径を窄めるように折り畳まれる。
【００５５】
また、収容部１２に形成されている折り畳み線２２の働きにより、内部収容空間に収容する材料の多少に応じて、収容部１２の大きさを拡大または縮小させることができる。すなわち、水洗いする材料が少ない場合などは、折り畳み線２２に沿って収容部を折り畳むことで、水切り壺７０を縮小させることができる。一方で、収容する材料が多い場合、水切り壺７０は、折り畳みまれていた収容部１２の一部を広げて拡大させることができる。
【００５６】
また、水切り壺７０は、底面付近と、収容部１２と持ち手部１３との間に複数の水切り穴１１が形成されている。
【００５７】
使用者は、開口部１５から水切りをする材料を収容部１２に入れ、持ち手部１３を掴んで水切り壺７０を上下動させたり、斜めに振ることにより、効率的に水切りすることができる。また、図１２（ｂ）に示すように、水切り壺７０は、開口部１５を紐７２やゴムで縛るなどして、そのまま茹でたり、蒸したりすることに使用しても良い。
【００５８】
このような第五実施形態に係る水切り壺７０によれば、より効率的に水切りができる。特に、収容部１２にも折り畳み線２２が形成されていることから、水洗いする材料の多少に応じて、自由に収容部１２の大きさを変更することができる。また、棚などに収容する場合には、収容部１２を縮小させることができため、保管スペースに困ることもない。
【００５９】
なお、第一実施形態に係る水切り壺１０では、収容部１２と持ち手部１３との間に縁部２１を設けていなかったが、かかる箇所に縁部２１を形成しても良い。
【００６０】
また、第一実施形態〜第三実施形態に係る水切り壺の収容部１２に設置面４２を形成しても良い。
【００６１】
また、第二実施形態および第三実施形態に係る水切り壺のリブ１４を、底面付近から縁部２１まで伸ばすように形成しても良い。
【００６２】
また、第一実施形態〜第三実施形態に係る水切り壺のリブ１４に、収容部１２の強度が損なわれない程度に水切り穴を形成しても良い。
【００６３】
また、各実施形態に係る水切り壺が有する構成（折り畳み線、リブなどの特徴的構成）を、他の実施形態に係る水切り壺に適用しても良い。
【符号の説明】
【００６４】
１０・・・第一実施形態に係る水切り壺、１１・・・水切り穴、
１２・・・収容部、１３・・・持ち手部、１４・・・リブ、
１５・・・開口部
２０・・・第二実施形態に係る水切り壺、２１・・・縁部、
２２・・・折り畳み線
【図１】
0006012818.tif 000002
【図２】
0006012818.tif 000003
【図３】
0006012818.tif 000004
【図４】
0006012818.tif 000005
【図５】
0006012818.tif 000006
【図６】
0006012818.tif 000007
【図７】
0006012818.tif 000008
【図８】
0006012818.tif 000009
【図９】
0006012818.tif 000010
【図１０】
0006012818.tif 000011
【図１１】
0006012818.tif 000012
【図１２】
0006012818.tif 000013